(57)【要約】【課題】  撮影手段を移動することなく、のぞき窓の清掃作業を行なえるようにする。【解決手段】のぞき窓５を、透明板７と、透明板の周囲に取り付けられた矩形平板状の窓枠９と、窓枠の対向する２辺に対応させて取り付け金具１１を一対設け、各取り付け金具を、窓枠の縁部に当接され窓枠を開口縁部に押付ける押え部９ａと、開口３の縁部にボルト２３と蝶ナット２５で締結される基部９ｂとを有して形成し、清掃時に蝶ナットを緩めて窓枠を取り付け金具に沿ってスライドさせて取り外すことにより、撮影手段を移動することなく清掃作業を行なえるようにしたことを特徴とする。【選択図】  図２
2008248513.tif 000002
【特許請求の範囲】
【請求項１】
機器の外壁に前記機器の内部を確認するために設けられた開口を塞いで設けられるのぞき窓と、該のぞき窓の外側に設けられる前記機器の内部を撮影する撮影手段を備えてなるのぞき窓装置において、
前記のぞき窓は、透明板と、該透明板の周囲に取り付けられた矩形平板状の窓枠と、該窓枠を前記機器の開口部に取り付ける取り付け金具とを有して形成され、
該取り付け金具は、前記窓枠の対向する２辺に対応させて一対設けられ、各取り付け金具は、前記窓枠の縁部に当接され、前記窓枠を前記機器側に押付ける押え部と、前記開口の縁部にボルトで締結される基部とを有してなることを特徴とするのぞき窓装置。
【請求項２】
請求項１において、
前記窓枠の前記取り付け金具に押付けられていない一辺にヒンジを介して板部材を取り付け、前記板部材は、前記窓枠と同等の大きさに形成されていることを特徴とするのぞき窓装置。
【請求項３】
請求項２において、
前記板部材は、前記取り付け金具の延在方向の長さが、前記取り付け金具の延在方向の長さよりも長く形成されていることを特徴とするのぞき窓装置。
【発明の詳細な説明】
【技術分野】
【０００１】
本発明は、機器の内部を撮影する撮影手段を備えてなるのぞき窓装置に関する。
【背景技術】
【０００２】
のぞき窓は、ごみの投入ホッパ、スクリューフィーダー、熱分解ドラム等機器の内部状況を確認するために設けられており、のぞき窓の外側には機器の内部状況を撮影するための撮影手段として、工業用テレビカメラ（ＩＴＶ）が設けられることが多い。
【０００３】
ＩＴＶは透明窓による光の反射等を防止する目的から、のぞき窓に近接してレンズが配置されるので、のぞき窓の内面の汚れを清掃する場合は、ＩＴＶを移動して、のぞき窓を取り外していた。したがって、清掃終了後にのぞき窓を取り付け、ＩＴＶを元の位置に戻すために、ＩＴＶの位置や、撮影方向や、焦点を再調整しなければならず、煩雑であった。
【０００４】
のぞき窓の清掃作業を効率化するものとして、特許文献１に記載のものが知られている。これによれば、のぞき窓の窓板を垂直に貫通する回転軸を設け、この回転軸の窓内部に位置する端部に、この端部を挟んで両側に延びる支持部材を取り付け、さらに、支持部材の両端に窓内面に当接させてワイパー部材を取り付けて構成し、回転軸を回転することにより、窓を取り外すことなく窓内面を清掃するようにしている。
【０００５】
【特許文献１】特開２００３−１８１３８７号公報
【発明の開示】
【発明が解決しようとする課題】
【０００６】
しかしながら、特許文献１に記載ののぞき窓は、のぞき窓の外側にのぞき窓に近接して設けられたＩＴＶを移動することなくのぞき窓内面の清掃を行なうことについては考慮されていない。
【０００７】
本発明が解決しようとする課題は、撮影手段を移動することなく清掃作業を行なえるようにすることを課題とする。
【課題を解決するための手段】
【０００８】
上記の課題を解決するため、本発明ののぞき窓装置は、機器の外壁に前記機器の内部を確認するために設けられた開口を塞いで設けられるのぞき窓と、該のぞき窓の外側に設けられる前記機器の内部を撮影する撮影手段を備えてなるのぞき窓装置において、前記のぞき窓は、透明板と、該透明板の周囲に取り付けられた矩形平板状の窓枠と、該窓枠を前記機器の開口部に取り付ける取り付け金具とを有して形成され、該取り付け金具は、前記窓枠の対向する２辺に対応させて一対設けられ、各取り付け金具は、前記窓枠の縁部に当接され、前記窓枠を前記機器側に押付ける押え部と、前記開口の縁部にボルトで締結される基部とを有してなることを特徴とする。
【０００９】
このように構成されることから、取り付け金具の基部のボルトを緩めることにより、取り付け金具の押え部によって窓枠に作用する押付け力が弱くなるから、取り付け金具に対して窓枠をスライドすることにより、窓枠を取り外すことができる。この結果、撮影手段を移動することなく窓枠を取り外して、容易に清掃できるから、撮影手段の位置や、撮影方向や、焦点を再調整する必要がない。
【００１０】
また、前記窓枠の前記取り付け金具に押付けられていない一辺にヒンジを介して板部材を取り付け、前記板部材は、前記窓枠と同等の大きさに形成することが望ましい。これにより、窓枠が取り付け金具から離れても、板部材が取り付け金具によって保持されるので、ヒンジを回転して窓枠を立ち上げることができる。その結果、窓枠を清掃作業員が支える必要がなくなり、清掃すべき透明板が露出されるので、清掃作業が容易になり、撮影手段に誤って触れる恐れも少なくなる。
【００１１】
さらに、前記板部材の前記取り付け金具の延在方向の長さを、前記取り付け金具の延在方向の長さよりも長く形成することができる。これにより、窓枠を板部材が設けられた反対方向へスライドして、窓枠が取り付け金具から離れても、開口が板部材によって覆われた状態となるので、機器内外での物や臭い等の移動が防止でき好ましい。
【発明の効果】
【００１２】
本発明によれば、のぞき窓の外側にのぞき窓に近接して設けられた撮影手段を移動することなくのぞき窓内面の清掃ができる。
【発明を実施するための最良の形態】
【００１３】
以下、本発明の実施の形態について説明する。図１は本発明の一実施形態ののぞき窓装置の平面図を示し、図２は図１における線ＩＩ−ＩＩの断面図を示し、図３はのぞき窓装置の使用例を示す。
【００１４】
これらの図に示すように、のぞき窓５は、機器の外壁１に内部を確認するために設けられた開口３を塞いで設けられる。また、のぞき窓５の外側には、機器の内部を撮影する撮影手段６が設けられる。撮影手段６は、機器の内部を撮影するものであり、固定部材３３を介して外壁１に固定されている。特に、透明窓による光の反射等を防止するためや内部の状態のみ撮影できるように撮影手段６のレンズをのぞき窓５に近接して設置されている。
【００１５】
のぞき窓５は、ガラス板などの透明板７と、透明板７の周囲に取り付けられた窓枠９と、窓枠９の部分を開口３の縁部に固定する取り付け金具１１から構成されている。窓枠９は、板材により矩形枠体９ａの内縁部に形成された段部に透明板７が装着され、透明板７の周縁部を固定板９ｂによりビス１４によって矩形枠体９ａに固定するように形成されている。なお、ビス１４に代えて、固定板９ｂを例えば溶接留めによって矩形枠体９ａに固定してもよい。また、窓枠９の矩形枠体９ａの図において右側に、コの字型に曲げて形成された持ち手１５が取付けられている。
【００１６】
取り付け金具１１は、持ち手１５を設けていない窓枠９の対向する２辺に対応させて一対設けられている。各取り付け金具１１は、窓枠９の縁部に当接され、窓枠９を機器側に押付ける押え部１１ａと、開口３の縁部に固定される基部１１ｂとを有して構成されている。
【００１７】
一方、開口３の縁部には、ベースプレート２７が機器の外壁１に固定して設けられている。ベースプレート２７には、取り付け金具１１の延在方向に沿って複数のボルト２３を起立させて、溶接などにより固定されている。また、取り付け金具１１の基部１１ａとベースプレート２７との間には、取り付け金具１１の延在方向に沿って座金２１が介装されている。そして、取り付け金具１１の基部１１ａと座金２１には、複数のボルト２３が挿通可能なボルト穴がそれぞれ穿設されている。ボルト２３には、蝶ナット２５がねじ込み可能に設けられている。また、ベースプレート２７と窓枠９との間にパッキン１７が介装されている。パッキン１７は、窓枠９に合わせて矩形の環状に形成されている。座金２１の厚みは、窓枠９の厚さとパッキン１７の厚さの合計よりも薄く形成されている。
【００１８】
また、持ち手１５を設けた窓枠９の対辺にヒンジ２９を介して板部材３１が取り付けられている。板部材３１は、矩形平板状で窓枠９と同等の大きさに形成され、取り付け金具１１の延在方向の板部材３１の長さは、取り付け金具１１の長さよりも長く形成されている。
【００１９】
このように構成される本実施形態ののぞき窓装置の使い方について、清掃時を中心に説明する。のぞき窓装置を組み立てるときは、窓枠９をパッキン１７の上に載置し、ボルト２３を挿通して取り付け金具１１を座金１７を介してベースプレート２７に載置する。この状態で、蝶ナット２５をボルト２３にねじ込んで締付けると、窓枠９は取り付け金具１１の押さえ部１１ａによってパッキン１７に押し付けられる。これにより、窓枠９によって開口３が気密に塞がれる。その後、撮影手段６の位置、撮影方向、焦点を調整して、機器内部の所望の視野を撮像可能に取付ける。
【００２０】
次に、透明板７の主として内面を清掃する場合の手順を説明する。まず、蝶ナット２５を緩めると、取り付け金具１１の押さえ部１１ａが窓枠９をパッキン１７に押し付ける力が解除される。これにより、窓枠９の持ち手１５を図１の右方向に引くことにより、図４に示すように、窓枠９を取り付け金具１１から外れた位置にスライドさせることができる。したがって、図４に示す位置で、ヒンジ２９を支点にして窓枠９を回転して窓枠９を立ち上げることにより、透明板７の内面を露出させることができる。このとき、板部材３１は取り付け金具１１に係止された位置にあるから、例えば、蝶ナット２５を締付けることにより、板部材３１をベースプレート２７に固定することができる。その結果、窓枠９を清掃作業員が支えることなく、清掃すべき透明板７が露出されるので、清掃作業が容易になり、撮影手段６に誤って触れる恐れも少なくなるから、内面清掃を容易に行うことができる。
【００２１】
のぞき窓５内面の清掃終了後には、再びヒンジ２９を回転して窓枠９を寝かせ、持ち手１５を押して窓枠９を所定の位置までスライドして、蝶ナット２５を回転して取り付け金具１１を締付けることにより、通常の使用状態にすることができる。つまり、窓枠９の位置を合わせ等の煩雑な取り付け作業が不要となる。
【００２２】
上述したように、本実施形態によれば、撮影手段６を移動することなく、窓枠９をスライドして透明板７の内面を容易に清掃できるから、撮影手段６の位置や、撮影方向や、焦点を再調整する必要がない。
【００２３】
また、板部材３の取り付け金具１１の延在方向の長さを、取り付け金具１１の長さよりも長く形成したことから、持ち手１５を引いて窓枠９をスライドして、窓枠９が取り付け金具１１から離れても、開口３が板部材３１によって覆われた状態となる。その結果、機器内外での物や臭い等の移動が防止できる。
【００２４】
上記実施形態において、窓枠９にヒンジ２９を介して板部材３１を取り付けたものを説明したが、本発明はこれに限らず、板部材３１を設けずに、窓枠９をスライドして取り付け金具１１から完全に取り外すようにしてもよい。
【００２５】
また、板部材３１は、例えば窓枠９と同等の形状のものに透明板７のような薄い板を取り付けたものとしてもよい。また、パッキン１７の劣化等による窓枠９との固着防止のために、窓枠９とパッキン１７の間に、例えばアルミニウム箔のような薄い金属部材を設けてもよい。
【図面の簡単な説明】
【００２６】
【図１】本発明の一実施形態ののぞき窓装置の平面図である。
【図２】図１における線ＩＩ−ＩＩ断面図である。
【図３】本発明ののぞき窓装置の使用例を示す図である。
【図４】図１の実施形態ののぞき窓装置において、ヒンジを回転して窓枠を立ち上げた状態を示す図である。
【符号の説明】
【００２７】
１  外壁
３  開口
５  のぞき窓
６  撮影手段
７  透明板
９  窓枠
１１  取り付け金具
１４  ビス
１５  持ち手
１７  パッキン
２１  座金
２３  ボルト
２５  蝶ナット
２７  ベースプレート
２９  ヒンジ
３１  板部材
３３  固定部材
【図１】
2008248513.tif 000003
【図２】
2008248513.tif 000004
【図３】
2008248513.tif 000005
【図４】
2008248513.tif 000006